(57)【要約】【課題】効率的に白霧を抑制する。【解決手段】燃料電池のオフガスを排出する排出通路に接続され、排出通路を流れるオフガスを冷却する冷却装置と、冷却装置の冷却量を制御する冷却量制御装置と、を備える燃料電池の排気調整装置である。【選択図】図１
2008270040.tif 000002
【特許請求の範囲】
【請求項１】
燃料電池のオフガスを排出する排出通路に接続され、前記排出通路を流れるオフガスを冷却する冷却装置と、
前記冷却装置の冷却量を制御する冷却量制御装置と、を備える燃料電池の排気調整装置。
【請求項２】
前記冷却装置が排気通路を流れるオフガスと冷媒との間で熱交換させる熱交換部と、前記冷媒の熱を放出する放熱部と、前記熱交換部と前記放熱部との間で冷媒を循環させる冷媒駆動部とを有し、
前記冷却量制御装置は冷媒の循環量および前記放熱装置の放熱量の少なくとも一方を制御する請求項１に記載の燃料電池の排気調整装置。
【請求項３】
前記冷却装置が排気通路の流路断面積を変更可能な可動片を有し、
前記冷却量制御装置は可動片のオフガス流路方向に対する相対角度の変更によって前記流路断面積を変更する請求項１に記載の燃料電池の排気調整装置。
【請求項４】
前記燃料電池は車両に搭載可能に構成され、
外気の温度を検知する外気温度センサの検知データ、前記外気の湿度を検知する湿度センサの検知データ、オフガスの温度を検知するガス温度センサの検知データ、燃料電池のセルスタックの温度を検知するセル温度センサの検知データ、前記燃料電池の発電量の計測手段の計測データ、前記燃料電池に供給される空気流量の計測手段の計測データ、および、前記車両の車速センサの検知データの少なくとも１つのデータを読み出す手段と、
前記少なくとも１つのデータについて、前記オフガスが外気に排出されたときに白霧が発生すると判定すべき判定条件を記憶した記憶手段と、をさらに備え、
前記冷却量制御装置は、前記読み出されたデータが前記判定条件を充足した場合に、前記冷却装置を始動する請求項１から３のいずれかに記載の燃料電池の排気調整装置。
【請求項５】
前記排出通路を構成する排気管が、排気口から燃料電池接続方向である上流側所定範囲の管壁に外気との複数の連通口を有する請求項１から４のいずれかに記載の燃料電池の排気調整装置。
【請求項６】
前記排出通路を構成する排気管の排気口から燃料電池接続方向である上流側所定範囲の管壁にて外気と連通する複数の連通口と、
前記連通口を開口可能に閉塞する閉塞手段と、
前記読み出されたデータが前記判定条件を充足した場合に、前記閉塞手段によって閉塞された連通口を開口する閉塞制御手段と、をさらに備える請求項４に記載の燃料電池の排気調整装置。
【請求項７】
燃料電池に接続され、燃料電池からのオフガスを排出する燃料電池用排気管において、
排気口と、
前記排気口から燃料電池接続方向である上流側所定範囲の管壁に外気との複数の連通口とを備える燃料電池用排気管。
【請求項８】
前記連通口は、オフガス流路方向の位置が前記上流側から前記排気口に近づくにしたがって、前記連通口１個当たりの開口面積、または、流路方向の単位長さ当たりの開口個数が増加する請求項７に記載の燃料電池用排気管。
【発明の詳細な説明】
【技術分野】
【０００１】
本発明は、燃料電池の排気調整技術に関する。
【背景技術】
【０００２】
燃料電池では、その反応により発電量に応じた生成水が排出される。特に、自動車用燃料電池では、走行距離により生成水が多量となる。また、自動車用燃料電池では、固定高分子型が主流で、基本的には運転温度が低い。したがって、これまでは、寒冷地での生成水の路面凍結、あるいは生成水の後続車両への飛散等、液水の処理が問題とされてきた。
【０００３】
しかし、外気条件と運転条件により、オフガスの排出通路テールエンドから発生する白霧も抑制する必要がある。白霧は、自動車の商品性の観点からは望ましくない。また、白霧による自動車の周囲への影響も考慮すべき場合もあるからである。このため、従来、車両用燃料電池において、白霧の抑制の提案がなされてきた。
【特許文献１】特開２００５−２９９８５３号公報
【特許文献２】特開２００６−１００１０１号公報
【特許文献３】特開２００５−１５３８５３号公報
【特許文献４】特開２００３−７３２３号公報
【特許文献５】特開２００１−１８５１９９号公報
【発明の開示】
【発明が解決しようとする課題】
【０００４】
上述のように、燃料電池のオフガスが排出通路のテールエンドで外気に放出される際、水蒸気が飽和し、液水と水蒸気の２形態にて排出される。そして、水蒸気が外気にふれ、冷却されて白霧が発生する場合がある。したがって、燃料電池の生成水による白霧は、特に燃料電池が暖機された状態で排出されるオフガスが外気で急速に冷却されることによって発生しやすい。つまり、外気温度が低温の場合に特に白霧が発生しやすい。
【０００５】
さらに、今後、燃料電池の冷却系の小型化、あるいは、発電効率向上の観点からの運転温度上昇の要求が高まると、発電量に依存して発生する生成水は、液水よりも水蒸気にて排出される比率が高まり、白霧が顕在化しやくなる。さらにまた、白霧低減のためには、一般的にはオフガスの温度を白霧の生じやすい温度から、冷却または加熱する手段が採用される。このため、白霧低減のためのエネルギを要し、発電効率向上の要請と整合していない。一方で、車両走行中は、走行風の拡散効果により白霧が発生しても目立ちにくく、停車中には白霧が目立ちやすい。
【０００６】
そこで、本発明は、白霧対策処理の必要性を判定し、効率的に白霧を抑制することを目的とする。
【課題を解決するための手段】
【０００７】
本発明は前記課題を解決するために、以下の手段を採用した。すなわち、本発明は、燃料電池のオフガスを排出する排出通路に接続され、排出通路を流れるオフガスを冷却する冷却装置と、冷却装置の冷却量を制御する冷却量制御装置と、を備える燃料電池の排気調整装置である。本発明によれば、冷却量制御装置が冷却の要否を判定する。そして、オフガスの冷却が必要と判定される場合に、冷却量を多くし、一方、オフガスの冷却が必要でないと判定される場合には、冷却量を減少し、あるいは、冷却を停止する。これよって、オフガスの冷却に伴うエネルギの消費を低減できる。
【０００８】
上記冷却装置は、排気通路を流れるオフガスと冷媒との間で熱交換させる熱交換部と、冷媒の熱を放出する放熱部と、熱交換部と前記放熱部との間で冷媒を循環させる冷媒駆動部とを有するものでもよい。そして、冷却量制御装置は冷媒の循環量および前記放熱装置の放熱量の少なくとも一方を制御すればよい。本発明によれば、冷媒の循環量あるいは放熱量によって冷却量を制御できる。
【０００９】
上記冷却装置が排気通路の流路断面積を変更可能な可動片を有し、冷却量制御装置は可動片のオフガス流路方向に対する相対角度の変更によって前記流路断面積を変更するようにしてもよい。本発明によれば、冷却量制御装置は、可動片の流路に対する角度を変更することによって、流路を遮る程度、すなわち、流路断面積を調整する。これにより、可動片にオフガスが衝突したときにオフガが冷却されるので、冷却量を制御できる。
【００１０】
上記燃料電池は車両に搭載可能に構成され、外気の温度を検知する外気温度センサの検知データ、前記外気の湿度を検知する湿度センサの検知データ、オフガスの温度を検知するガス温度センサの検知データ、燃料電池のセルスタックの温度を検知するセル温度センサの検知データ、前記燃料電池の発電量の計測手段の計測データ、前記燃料電池に供給される空気流量の計測手段の計測データ、および、前記車両の車速センサの検知データの少なくとも１つのデータを読み出す手段をさらに備えるようにしてもよい。そして、少なくとも１つのデータについて、オフガスが外気に排出されたときに白霧が発生すると判定すべき判定条件を記憶した記憶手段を備えるようにすればよい。このような構成によって、冷却量制御装置は、読み出されたデータがその判定条件を充足した場合に、冷却装置を始動すればよい。これによって、白霧が発生すると判定すべき場合に限定して、冷却装置を始動できる。
【００１１】
排出通路を構成する排気管が、排気口から燃料電池接続方向である上流側所定範囲の管壁に外気との複数の連通口を有するようにしてもよい。この場合には、上流側から排気口方向にオフガスが進行するにしたがって、外気がオフガス中に巻き込まれ、徐々にオフガスを冷却できる。
【００１２】
さらに、連通口を開口可能に閉塞する閉塞手段と、上記で読み出されたデータが判定条件を充足した場合に、閉塞手段によって閉塞された連通口を開口する閉塞制御手段と、をさらに備えてもよい。この場合には、白霧が発生すると判定すべき場合に限定して、連通口を開口できる。
【００１３】
さらに、連通口は、オフガス流路方向の位置が上流側から排気口に近づくにしたがって、連通口１個当たりの開口面積、または、流路方向の単位長さ当たりの開口個数が増加するようにしてもよい。このような構成により、外気がオフガス中に巻き込まれる程度を徐々に増加させ、さらに効果的に白霧を低減できる。
【発明の効果】
【００１４】
本発明によれば、白霧発生状況から白霧対策処理の必要性を判定し、効果的に白霧を抑制できる。
【発明を実施するための最良の形態】
【００１５】
以下、図面を参照して本発明を実施するための最良の形態（以下、実施形態という）に係る燃料電池システムについて説明する。以下の実施形態の構成は例示であり、本発明は実施形態の構成には限定されない。
【００１６】
《第１実施形態》
以下、図１−図６の図面に基づいて、本発明の第１実施形態に係る燃料電池システムを
説明する。図１は、本燃料電池システムの構成を示すシステム図である。本燃料電池システムは、燃料電池の単セルが積層されたＦＣスタック１と、ＦＣ１スタックの空気極に、空気供給通路５を通じて空気を供給するエアフィルタ１１およびエアコンプレッサ９と、空気極側のオフガス通路６に接続されるマフラ２１と、マフラ２１のさらに下流に接続されたインタークーラ２２と、インタークーラ２２のさらに下流のテールエンドにてオフガスの温度を検出する温度センサ２３と、ＦＣスタック１の水素極に、水素供給通路２を通じて燃料ガスである水素を供給する水素タンク７および調圧バルブ１０と、水素極側のオフガス通路３から循環通路４を通じて、水素供給通路２に水素を含むオフガスを循環させる水素ポンプ８と、インターフェース２９（本発明の読み出す手段に相当）を介して本燃料電池システムの各種センサを監視するともに、燃料電池システムを制御するＥＣＵ３０（本発明の冷却量制御装置に相当）とを有している。
【００１７】
インターフェース２９には、外気温度を検知する外気温度センサ、外気の湿度を検知する湿度センサ、車速を検知する車速センサ、ＦＣスタック１の温度を検知するセル温度センサ、ＦＣスタック１の出力電圧を検知する電圧センサ、ＦＣスタック１の出力電流を検知する電流センサ、エアコンプレッサへの投入電力を検知する電力センサ、空気極への空気供給量を計測する流量計、テールエンドの温度を検知するオフガス温度センサ等、各部の温度データ、湿度データ、発電量、コンプレッサ流量、各部の温度等に係るデータがそれぞれのセンサから入力される。
【００１８】
エアコンプレッサ９は、エアフィルタ１１を通じて吸引した空気をＦＣスタック１の空気極に供給する。したがって、エアコンプレッサ９への投入電力を検知することで、コンプレッサ流量に係るデータを取得できる。ただし、エアコンプレッサ９への投入電力を検知し、コンプレッサ流量を入力する代わりに、空気供給通路５にて空気流量を流量計で測定するようにしてもよい。
【００１９】
ＦＣスタック１は、水素極側から供給された水素と、空気極側から供給された空気中の酸素を反応させ、発電する。ＦＣスタック１の出力端子の出力電圧および出力電流を検知することで、発電量に係るデータを取得できる。また、ＦＣスタック１の温度は、直接燃料電池セルの温度を検知してもよいし、不図示の冷却水通路にて冷却水の温度を検知してもよい。
【００２０】
ＦＣスタック１において反応した空気は、オフガスとしてオフガス通路６から排出される。本燃料電池システムの特徴は、オフガス通路６のテールエンド近傍に、マフラ２１、インタークーラ２２、および温度センサ２３を有する点にある。
【００２１】
マフラ２１は、内部に屈曲した通路あるいは通路の仕切り板等を有し、通過するオフガスを内壁、あるいは仕切り板に衝突させ、オフガスの温度を低下させる。
【００２２】
インタークーラ２２（本発明の熱交換部に相当）は、オフガス中の熱を冷媒に伝達し、オフガスを冷却する。インタークーラ２２内の冷媒は、冷媒駆動ポンプ２８（本発明の冷媒駆動部に相当）により配管２４を通じてラジエータ２５（本発明の放熱部に相当）との間で循環する。ラジエータ２５には、ファン２６が備えられ、ラジエータ２５の冷媒から強制的に熱を放出させる。このような構成により、オフガス中の熱は、インタークーラ２２からラジエータ２５に移動し、放熱される。インタークーラ２２、配管２４，ラジエータ２５、冷媒駆動ポンプ２８が本発明の冷却装置に相当する。
【００２３】
オフガス通路６末端のテールエンドに設けられた温度センサ２３は、オフガスの温度を監視している。なお、本実施形態では、オフガス通路６末端の位置をいう場合に、テールエンドという用語を使用する。一方、オフガス通路６末端の開口をいう場合には、排出口
という。温度センサ２３が検出した排出口でのオフガスの温度は、ＥＣＵ３０に刻々報告されている。
【００２４】
ＥＣＵ３０は、インターフェース２９を通じて、不図示の外気温度センサからの外気温度データ、不図示の湿度センサからの外気湿度データ、テールエンドでの温度センサ２３からのオフガス温度データ、燃料電池発電量等の燃料電池運転状態、車速等の車両運転状態を刻々監視している。また、ＥＣＵ３０は、これらの外気条件、燃料電池運転状態、車両運転状態が、白霧発生条件に該当するか否かを判定する。ここで、白霧発生条件とは、現在の燃料電池運転状態、および車両運転状態にてオフガスが、外気に放出された場合に、白霧が発生する条件をいう。
【００２５】
ＥＣＵ３０は、メモリ３０Ａ（本発明の記憶手段に相当）を有しており、インターフェース２９から入力されるデータのそれぞれについて、白霧が発生する条件を記憶している。したがって、ＥＣＵ３０は、インターフェース２９から入力されるデータのそれぞれについて、メモリ３０Ａの条件と照合し、白霧発生の可能性を判定する。
【００２６】
図２を例にして、白霧発生条件を説明する。図２は、テールエンドでのオフガス温度と、飽和水蒸気圧との関係を示す図である。図２で、横軸がオフガス温度であり、縦軸が飽和水蒸気圧である。そして、曲線Ｃ１は、オフガス温度に対する飽和蒸気圧の値をプロットした曲線である。
【００２７】
今、オフガス温度が曲線Ｃ１上の「インタークーラなし」とされた位置にあると仮定する。この場合、オフガスが外気中に放出されると、そのままオフガス温度が「外気温」の位置まで低下することになる。したがって、縦軸上でＡ点からＣ点まで飽和蒸気圧が変化し、その飽和蒸気圧の変化に対応する量の水蒸気がそのまま白霧化することになる。
【００２８】
一方、外気中に排出前にインタークーラ２２によってオフガスが冷却された場合を考える。この場合、オフガスの温度は、インタークーラ２２の冷却作用により、例えば、曲線Ｃ１上の「インタークーラ有り」の位置に移動する。このとき、オフガスの飽和蒸気圧は縦軸上のＡ点からＢ点に移動する。そのため、オフガスが外気中に放出前にすでに、飽和蒸気圧がＡ点からＢ点まで減少し、オフガス中の水蒸気は液滴化する。そして、この状態でオフガスを外気に排出すると、オフガスの状態は、曲線Ｃ上で横軸が「外気温」まで移動し、飽和蒸気圧はＣ点の値となる。したがって、この場合に、オフガスが外気に放出されたことによって発生する飽和蒸気圧の変化は、縦軸でＢ点とＣ点との間の飽和蒸気圧の差異となる。
【００２９】
このようにして、外気状態と、オフガスの状態から、白霧の発生量が所定以上と考えられる場合に、ＥＣＵ３０は、インタークーラ２２によるオフガスの冷却を実行する。これによって、オフガス温度が外気温に近づき、オフガスが外気に放出されたときの飽和蒸気圧の変化量を所定値以下に抑制することができる。これにより、オフガスの外気への放出に伴って発生する白霧を低減できる。その場合に、ＥＣＵ３０は、冷媒駆動ポンプ２８による冷媒の駆動量、ファン２６による風量を調整することによって、オフガス温度を所望の状態に制御する。
【００３０】
図３に、インタークーラ冷却熱量と、白霧発生レベルとの関係を実験で観察した結果のグラフを示す。図３で、インタークーラ冷却熱量とは、インタークーラでの熱交換される熱量をいう。この熱交換される熱量は、冷媒駆動ポンプ２８の駆動量、ファン２６の風量に依存する。
【００３１】
また、白霧発生レベルは、水蒸気を含む空気（実験ガスという）をインタークーラにて
熱交換した後、外気に放出したときの白霧発生の有無を観察した結果であり、白霧発生の程度をレベル分けして示したものである。このとき、水蒸気を含む空気流量、インタークーラ流入時の空気の温度、および外気温度は、実験室にて所定温度に維持した。この図から、インタークーラに流入する実験ガスの温度、流量、およびインタークーラ通過後に実験ガスが排出される外気の温度が一定に維持された状態では、インタークーラでの冷却熱量と白霧抑制効果に強い相関があることが分かる。
【００３２】
以上は主として、外気温とオフガス温度との関係による白霧発生の条件を説明した。この外気温とオフガス温度との関係以外で、白霧発生に影響する物理量を検討する。
（１）外気湿度が高い場合に、白霧が発生しやすい。したがって、外気の湿度が所定値より高い場合に、白霧が発生しやすい、と判定してもよい。
（２）ＦＣスタック１の温度が高い場合、最終的に、排出されるオフガス温度が高くなる。したがって、ＦＣスタック１の温度が所定値より高い場合に、白霧が発生しやすい、と判定してもよい。
（３）燃料電池の負荷が重いと、発電量が多くなり、生成水の絶対量が多くなる。その結果、最終的に、排出されるオフガス中の水分および水蒸気が多くなり、白霧発生の確率が高くなる。したがって、燃料電池の負荷が所定値より重い場合に、白霧が発生しやすい、と判定してもよい。ＦＣ負荷は、例えば、発電量、あるいは、所定期間の電力量を基準に判定してもよい。また、空気極流量によって燃料電池の負荷を判定してもよい。
（４）車速が速いと、排出されるオフガスの外気との相対的な流速が大きくなる。そこで、車速が所定値より小さい場合に、白霧が発生しやすい、と判定してもよい。
【００３３】
図４に、本燃料電池システムにおけるＥＣＵ３０の処理のフローチャートを示す。ＥＣＵ３０は、所定の時間間隔で図４の処理を実行している。この処理では、ＥＣＵ３０は、まず、外気の状態、車両の運転状態、燃料電池運転状態、燃料電池システムの各部の温度等のデータを取得する（Ｓ１）。
【００３４】
次に、ＥＣＵ３０は、Ｓ１で取得した外気の状態、車両の運転状態、燃料電池運転状態、燃料電池システムの各部の温度等のデータから、白霧対策が必要な領域にあるか否かを判定する（Ｓ２）。ここで、白霧対策領域とは、例えば、図３のグラフで、オフガス排出時の飽和蒸気圧の変化量が、所定値より大きい場合をいう。
【００３５】
現在の状態が、白霧対策が必要な領域にない場合、ＥＣＵ３０は、インタークーラ２２の冷媒駆動ポンプ２８およびファン２６を停止する（Ｓ５）。
【００３６】
一方、現在の状態が、白霧対策が必要な領域にある場合、本実施形態では、ＥＣＵ３０は、さらに、燃料電池が暖機状態かつ再起動中であるか、または、暖機状態かつ終了処理中であるか否かを判定する（Ｓ３）。ここで、燃料電池が暖機状態とは、ＦＣスタック１が所定温度以上であることをいう。また、再起動中を判定の条件とするのは、再起動中には、特に大量の空気が空気極に供給されるため、生成水の絶対量が多くなるからである。また、再起動中の場合に、燃料電池を搭載した車両が停止しているため、白霧が目立ちやすい。したがって、暖機状態かつ再起動中には、特に白霧を抑制する必要がある。一方、ＥＣＵ３０は、暖機状態でないか、または、再起動中でない場合には白霧対策を省略してもよいと判定する。
【００３７】
同様に、運転終了中には、生成水等を排出するため掃気処理を実施する。このため、排出される生成水の絶対量が多くなり、白霧発生の可能性が高まる。また、運転終了中は、燃料電池を搭載した車両が停止しているため、白霧が目立ちやすい。本実施形態では、暖機状態かつ運転終了中には、特に白霧を抑制する必要がある。一方、ＥＣＵ３０は、暖機状態でないか、または、運転終了中でない場合には白霧対策を省略してもよいと判定する
。
【００３８】
燃料電池が暖機状態かつ再起動中であるか、または、暖機状態かつ終了処理中である場合、ＥＣＵ３０は、インタークーラの冷媒駆動ポンプ２８およびファン２６をオンにする。これにより、インタークーラ２２を通過するオフガスと冷媒との間で熱交換を促進し、オフガスの温度を低下させる。また、ファン２６により、ラジエータ２５において、放熱を促進する。
【００３９】
一方、燃料電池が暖機状態かつ再起動中でないか、または、暖機状態かつ終了処理中でない場合、ＥＣＵ３０は、インタークーラの冷媒駆動ポンプ２８およびファン２６をオフにする。これにより、不要なエネルギの使用を抑制し、燃料電池システム全体としてのエネルギ効率の向上を図る。
【００４０】
なお、ＥＣＵ３０の処理で、Ｓ２およびＳ３の処理の双方が必須ということではなく、いずれか一方だけの判定にしたがって、インタークーラの冷媒駆動ポンプ２８およびファン２６を制御してもよい。また、Ｓ３中のいずれかの条件、すなわち、「暖機状態」「再起動中」および「運転終了中」のいずれかの条件によって、インタークーラの冷媒駆動ポンプ２８およびファン２６を制御してもよい。
【００４１】
＜具体的処理例＞
図４では、外気の状態、車両の運転状態、燃料電池運転状態、燃料電池システムの各部の温度等のデータから、白霧対策が必要な領域にあるか否かを判定した。また、白霧対策が必要と発生した場合に、さらに、ＥＣＵ３０は、燃料電池が暖機状態かつ再起動中であるか、または、暖機状態かつ終了処理中であるか否かを判定した。ここでは、その具体的な処理例を説明する。
【００４２】
図５は、ＥＣＵ３０の白霧対策要否判断の処理例１を示すフローチャートである。この処理は、図４に示したＳ３の処理の詳細例である。この処理では、ＥＣＵ３０は、まず、本燃料電池システムを搭載した車両の車速が所定の速度Ｃより小さいか否かを判定する（Ｓ１１）。
【００４３】
車速が所定速度Ｃ以上の場合、ＥＣＵ３０は、白霧対策領域フラグをオフに設定する（Ｓ１４）。この場合には、オフガスの外気への放出速度が速く、白霧が発生しても目立ちにくいからである。また、放出速度が速いと、拡散の効果が冷却に勝り、白霧発生が抑止される。したがって、車両走行中で、かつ、車速が所定以上の場合には、白霧が目立ちにくいほか、白霧自体の発生も抑制されやすい。
【００４４】
一方、オフガスの放出速度が遅いと、外気よってテールエンド近傍で急激に水蒸気が飽和し、白霧が発生しやすい。そこで、車速が所定速度Ｃ未満の場合、ＥＣＵ３０は、さらに、テールエンドの温度センサ２３での測定温度より外気温度が低く、その差異が、所定値Ｅより大きいか、否かを判定する（Ｓ１２）。そして、テールエンドの温度センサ２３での測定温度と外気温度との差異が、所定値Ｅより大きい場合、ＥＣＵ３０は、白霧対策領域フラグをオンに設定する（Ｓ１３）。また、テールエンドの温度センサ２３での測定温度と外気温度との差異が、所定値Ｅ以下の場合、ＥＣＵ３０は、白霧対策領域フラグをオフに設定する（Ｓ１４）。この場合には、図２のように、白霧の発生する可能性が少ないと推定されるからである。
【００４５】
そして、ＥＣＵ３０は、白霧対策領域フラグにしたがって、インタークーラの冷媒駆動ポンプ２８およびファン２６を制御する。
【００４６】
図６は、ＥＣＵ３０の白霧対策要否判断の処理例２を示すフローチャートである。この処理では、ＥＣＵ３０は、まず、外気温度が所定値Ａより小さいか否かを判定する（Ｓ２１）。そして、外気温度が所定値Ａ以上の場合には、ＥＣＵ３０は、白霧対策領域フラグをオフにする（Ｓ２７）。
【００４７】
また、外気温度が所定値Ａ以上の場合には、ＥＣＵ３０は、外気湿度が所定値Ｂより高いか否かを判定する（Ｓ２２）。そして、外気湿度が所定値Ｂ以下の場合には、ＥＣＵ３０は、白霧対策領域フラグをオフにする（Ｓ２７）。
【００４８】
また、外気湿度が所定値Ｂより高い場合には、ＥＣＵ３０は、車速が所定値Ｃより遅いか否かを判定する（Ｓ２３）。そして、車速が所定値Ｃ以上の場合には、ＥＣＵ３０は、白霧対策領域フラグをオフにする（Ｓ２７）。
【００４９】
また、車速が所定値Ｃより遅い場合には、ＥＣＵ３０は、ＦＣスタック１の温度が所定値Ｄより高いか否かを判定する（Ｓ２４）。ＦＣスタック１の温度が所定値Ｄ以下の場合には、ＥＣＵ３０は、白霧対策領域フラグをオフにする（Ｓ２７）。
【００５０】
また、ＦＣスタック１の温度が所定値Ｄより高い場合には、ＥＣＵ３０は、燃料電池システムの負荷が所定値Ｆより大きいか否かを判定する（Ｓ２５）。ここで、燃料電池システムの負荷は、例えば、空気極に供給される空気流量、あるいは、ＦＣスタック１での発電量等によって判定できる。ＦＣスタック１の温度が所定値Ｄより高い場合には、ＥＣＵ３０は、燃料電池システムの負荷が所定値Ｆ以下の場合には、ＥＣＵ３０は、白霧対策領域フラグをオフにする（Ｓ２７）。
【００５１】
一方、燃料電池システムの負荷が所定値Ｆ以下の場合には、ＥＣＵ３０は、白霧対策領域フラグをオンにする（Ｓ２８）。そして、ＥＣＵ３０は、白霧対策領域フラグにしたがって、インタークーラの冷媒駆動ポンプ２８およびファン２６を制御する。
【００５２】
以上のようにして、外気の状態、車両の運転状態、燃料電池運転状態、燃料電池システムの各部の温度等のデータにしたがって、白霧対策の要否を判定できる。その結果、白霧発生の可能性が高いと推定される場合に限定して、インタークーラの冷媒駆動ポンプ２８およびファン２６を駆動できる。一方、白霧発生の可能性が低いと推定される場合には、インタークーラ２２の冷媒駆動ポンプ２８およびファン２６を駆動せず、無駄なエネルギの消費を抑制できる。
【００５３】
なお、図６に示したそれぞれの判定処理は、すべてをＥＣＵ３０の制御シーケンスに設けなければならないということではない。例えば、外気温度の判定（Ｓ２１）と、ＦＣスタック１の温度の判定（Ｓ２４）だけを組み合わせて、白霧対策の要否を判定してもよい。また、例えば、燃料電池システムの負荷が所定値以上かどうかの判定（Ｓ２５）だけによって、白霧対策の要否を判定してもよい。さらに、例えば、図５に示した外気温度とテールエンドの温度センサ２３の温度との差による判定（Ｓ１３）を図６の処理と組み合わせて実行してもよい。
【００５４】
＜変形例＞
上記第１実施形態では、外気の状態、燃料電池システムの運転状態、および燃料電池システムを搭載した車両の運転状態に基づいて白霧対策の要否を判定する処理例を示した。この場合に、空気極側のオフガスに、水素極側の循環通路で燃料ガスから分離される生成水を混入させても構わない。
【００５５】
図７は、第１実施形態の変形例に係る燃料電池システムのシステム図である。この燃料
電池システムは、図１の場合と比較して、水素極側の燃料オフガスの排出通路３に気液分離器１３が設けられ、燃料オフガスから分離された生成水が、バルブ１４を介して、空気極側のオフガス通路６に排出される構成となっている。他の構成および作用は、図１と同様である。
【００５６】
このような構成によって、オフガス通路６に燃料オフガス中の生成水が空気極側のオフガス通路６に排出されたとしても、インタークーラ２２の冷媒駆動ポンプ２８およびファン２６を効率的に駆動することで、エネルギの無駄な消費を低減した上で、白霧発生を効率的に抑制できる。
【００５７】
上記実施形態では、外気の状態、燃料電池システムの運転状態、および燃料電池システムを搭載した車両の運転状態に基づいて白霧対策の要否を判定し、インタークーラ２２の冷媒駆動ポンプ２８およびファン２６を駆動するか否かを判定した。このような制御に代えて、白霧対策の要否を段階的にレベル分けしてもよい。そして、そのレベルに応じて、冷媒駆動ポンプ２８の駆動電力、ファン２６の駆動量を異なる値に設定するようにしてもよい。例えば、外気温度とテールエンドでのオフガス温度との差に応じてして、段階的に、るいは、比例して冷媒駆動ポンプ２８の駆動量を制御してもよい。また、段階的にファン２６の駆動量を制御してもよい。
【００５８】
《第２実施形態》
図８および図９に基づいて本発明の第２実施形態を説明する。上記第１実施形態では、外気の状態、燃料電池システムの運転状態、および燃料電池システムを搭載した車両の運転状態に基づいて白霧対策の要否を判定する処理例を示した。本実施形態では、その場合に、さらに、インタークーラ２２を介した熱交換が実行される排出通路と、インタークーラ２２を通らない排出通路とを切り替える燃料電池システムについて説明する。他の構成および作用は、第１実施形態の場合と同様である。そこで、第１実施形態の場合と同一の構成要素については、同一の符号を付してその説明を省略する。また、本燃料電池システムの全体構成は、第１実施形態の場合と同様である。
【００５９】
図８は、空気極側のオフガス通路の詳細を示す構成図である。図８のように、本燃料電池システムでは、オフガス通路６において、マフラ２１とインタークーラ２２との間に、三方弁３１が設けられている。三方弁３１は、上流側のオフガス通路６と、テールエンド側の２系統のオフガス通路６Ａおよび６Ｂのいずれかと、を切り替えて接続する。この切り替えは、ＥＣＵ３０の制御信号による。
【００６０】
オフガス通路６Ａは、インタークーラ２２を介してテールエンド、すなわち、排出口からオフガスを排出する。一方、オフガス通路６Ｂは、インタークーラ２２を介さずそのまま排出口からオフガスを排出する。
【００６１】
図９に、本実施形態におけるＥＣＵ３０の三方弁制御処理のフローチャートを示す。この処理でも、第１実施形態の処理と同様、ＥＣＵ３０は、所定の時間間隔で図９の処理を実行している。この処理では、ＥＣＵ３０は、まず、外気の状態、車両の運転状態、燃料電池運転状態、燃料電池システムの各部の温度等のデータを取得する（Ｓ１）。
【００６２】
次に、ＥＣＵ３０は、Ｓ１で取得した外気の状態、車両の運転状態、燃料電池運転状態、燃料電池システムの各部の温度等のデータから、白霧対策が必要な領域にあるか否かを判定する（Ｓ２）。
【００６３】
現在の状態が、白霧対策が必要な領域にない場合、ＥＣＵ３０は、インタークーラ２２をバイパスする指令を三方弁３１に送信する（Ｓ５Ａ）。この指令によって、三方弁３１
は、オフガス通路６をインタークーラ２２のないオフガス通路６Ｂに接続する。
【００６４】
一方、現在の状態が、白霧対策が必要な領域にある場合、本実施形態では、ＥＣＵ３０は、さらに、燃料電池が暖機状態かつ再起動中であるか、または、暖機状態かつ終了処理中であるか否かを判定する（Ｓ３）。そして、燃料電池が暖機状態かつ再起動中であるか、または、暖機状態かつ終了処理中である場合、ＥＣＵ３０は、インタークーラ２２を通過する指令を三方弁３１に送信する（Ｓ４Ａ）。これによって、オフガスが、インタークーラ２２を介して排出されることになる。また、インタークーラ２２に対して、第１実施形態と同様の制御が実行される。すなわち、オフガスがインタークーラ２２を通過する場合に、冷媒駆動ポンプ２８およびファン２６が駆動される。
【００６５】
本実施形態の処理によって、外気の状態、車両の運転状態、燃料電池運転状態、燃料電池システムの各部の温度等のデータから、インタークーラ２２の制御によるエネルギ損失を低減することに加えて、オフガスがインタークーラ２２を通過することによる圧損を低減できる。
【００６６】
すなわち、白霧発生の可能性が低いと推定される場合には、オフガスがインタークーラ２２に導入されず、オフガス排出通路６Ｂから外気に排出される。したがって、この場合には、インタークーラ２２によるオフガスの圧損がないので、空気極全体を通じて空気の流れを円滑にすることができる。その結果、例えば、エアコンプレッサ９の駆動力を削減でき、空気供給電力を節約できる。
【００６７】
なお、本実施形態で説明した三方弁３１の制御において、第１実施形態の図５あるいは図６で説明した判定処理を用いてもよい。すなわち、図５あるいは図６の判定によって、白霧対策領域フラグがオンとなった場合に、オフガスが、インタークーラ２２を介して排出されるようにすればよい。また、白霧対策領域フラグがオフとなった場合に、オフガスが、インタークーラ２２を介さずに排出されるようにすればよい。
【００６８】
《第３実施形態》
図１０から図１３の図面を参照して、本発明の第３実施形態を説明する。上記第１実施形態および第２実施形態では、白霧対策が必要と判定された場合に、インタークーラ２２を制御して白霧対策を実施した。本実施形態は、インタークーラ２２に代えて、ミストトラッパによって白霧対策を実施する例を説明する。他の構成および作用は、第１実施形態および第２実施形態の場合と同様である。そこで、第１実施形態あるいは第２実施形態と同一の構成要素については、同一の符号を付してその説明を省略する。
【００６９】
図１０は、ミストトラッパ３２（本発明の可動片に相当）およびミストトラッパ３２のオフガス通路６の流速方向に対する傾きを制御する駆動モータ３３を含むオフガス通路６の構成図である。本実施形態では、オフガス通路６内に、オフガスの流速方向に対する相対角度を設定可能なバタフライ弁をミストトラッパ３２として採用する。ミストトラッパ３２は、例えば、円形状の金属製の板である。
【００７０】
図１０において、ミストトラッパ３２の上端部は、駆動モータ３３の回転軸によって円形状の金属板であるミストラッパ３２をその直径の周りに回動可能に接続される。また、ミストトラッパ３２の下端は、オフガス通路６底部に回動可能に支持され、支点３４を形成している。この上端と下端とにより、円形状の金属板の直径をなす回転軸が形成される。
【００７１】
具体的には、ミストトラッパ３２の回転中心となる円板の頂点部と、駆動モータ３３の回転軸とが、ギア、ベルト、あるいはチェーン等で接続される。この場合に、駆動モータ
３３の回転数と、ミストトラッパ３２の回転角との比が、所定値に設定される。ただし、円板の頂点部を駆動モータ３３の回転軸に直結してもよい。そして、ＥＣＵ３０は、駆動モータ３３を駆動し、ミストトラッパ３２と、オフガスの流速方向の角度とを所定角度に制御する。
【００７２】
図１２は、ミストトラッパ３２の形状を示す図である。ミストトラッパ３２は、図１２（Ａ）のように、円形状の金属板で構成される。図のように、円形状の金属板の直径をなす回転軸が形成される。ただし、図１２（Ｂ）のように、半円形状の金属板で構成してもよい。この場合、半円の直径部分によって回転軸が形成される。
【００７３】
図１１は、図１０のＡ矢印方向から（図１０の下端部から上方に）ミストトラッパ３２を見た平面図である。図１１（Ａ）に示すように、白霧対策を実施しない通常状態では、ミストトラッパ３２を形成する金属板の面は、オフガスの流速方向に平行に制御される。この場合には、オフガスの流れを遮る効果はほとんど生じない。
【００７４】
一方、図１１（Ｂ）に示すように、白霧対策時には、ミストトラッパ３２を形成する金属板の面が、オフガスの流れを遮る所定の角度に制御される。この場合には、流路中のミストトラッパ３２の面の位置で、オフガスの流れの一部が遮られる。
【００７５】
このような制御により、オフガスが、ミストラッパ３２に衝突し、オフガス中の水蒸気がミストトラッパ３２によって冷却される。すなわち、ミストラッパ３２への衝突によってオフガスの熱がミストラッパ３２の表面および駆動モータ３３の連結部、および支点３４を通じて、オフガス通路６に伝導、拡散する。
【００７６】
その結果、オフガスの飽和蒸気圧が低下して、水蒸気の一部がミストトラッパ３２の表面に液滴となって付着する。そして、多数の液滴が結合して液水となり、オフガス通路６の内壁に流出する。これによって、オフガスが外気に放出されたときの白霧発生の可能性を低減できる。
【００７７】
図１１（Ｃ）は、半円形の場合のミストトラッパ３２による白霧対策例である。この場合には、図１１（Ｂ）の場合と比較して、ミストトラッパ３２を構成する金属板の面と、オフガスの流速方向との角度をさらに直角方向に近づければよい。これによって、図１１（Ｃ）の場合でも、最大で、オフガス通路６の流路の開口率を５０パーセント程度まで制限できる。
【００７８】
図１３に、本実施形態におけるＥＣＵ３０の処理のフローチャートを示す。この処理で、Ｓ１−Ｓ３の処理については、第１実施形態および第２実施形態の場合と同様であるので、その説明を省略する。
【００７９】
本実施形態では、ＥＣＵ３０が、外気の状態、車両の運転状態、燃料電池運転状態、燃料電池システムの各部の温度等のデータから、白霧対策が必要であると判断した場合、ＥＣＵ３０は、駆動モータ３３を制御し、ミストトラッパ３２がオフガスの流速に対して所定の角度になるように制御する（Ｓ４Ｂ）。この制御ためのＥＣＵ３０が駆動モータ３３に通知する指令を白霧対策オン指令という。
【００８０】
一方、白霧対策が必要でないと判断した場合、ＥＣＵ３０は、ミストトラッパ３２がオフガスの流速に対して平行になるように制御する（Ｓ５Ｂ）。この制御ためのＥＣＵ３０が駆動モータ３３に通知する指令を白霧対策オフ指令という。
【００８１】
このようにして、本実施形態では、外気の状態、車両の運転状態、燃料電池運転状態、
燃料電池システムの各部の温度等のデータから白霧対策が必要と判断される場合にだけ、ミストトラッパ３２がオフガスの流れを遮る方向に傾きを設定される。一方、白霧対策が必要ないと判断される場合には、ミストトラッパ３２がオフガスの流れを極力遮らない方向に傾きを設定される。したがって、可能な限りオフガス排出通路６での圧損を低減した上で白霧対策を実施できる。
【００８２】
なお、本実施形態の構成と第１実施形態、あるいは、第２実施形態の構成を組み合わせてオフガス通路６を構成してもよい。すなわち、インタークーラ２２よるオフガスの熱交換処理とともに、ミストトラッパ３２による白霧対策を実行してもよい。
【００８３】
また、図１３の白霧対策の要否の判定処理（Ｓ２およびＳ３）において、第１実施形態と同様に、図５、図６のような判定処理を実行してもよい。
【００８４】
《第４実施形態》
図１４から図１８の図面に基づいて本発明の第４実施形態に係る燃料電池のオフガス排出通路を説明する。図１４は、オフガス通路６のテールエンド付近を示す図である。
【００８５】
図１４に示すように、本実施形態の燃料電池システムでは、オフガス通路６を構成する排気管のテールエンド付近にて、排気管内部と外気とを連通する連通口を複数個設ける。他の構成および作用については、第１実施形態から第３実施形態の場合と同様である。したがって、本実施形態の構成を第１実施形態から第３実施形態の構成と組み合わせて燃料電池システムを構成してよい。
【００８６】
第１実施形態の図２に示したように、オフガスの温度と外気温度とで所定値以上の差が存在するときに、オフガスを外気中に排出すると急速に飽和蒸気圧が低下し、白霧が発生しやすくなる。
【００８７】
そこで、図１４に示すように、オフガス通路６を構成する排気管の排出口から上流側の所定の範囲にて、連通口を複数設けることで、オフガスと外気とを徐々に混合させる。すなわち、図１４の連通口によって、オフガスの排出口方向への進行とともに徐々に外気を巻き込む構造とする。これによって、オフガスの冷却と希釈とがオフガスの流れとともに徐々に進行し、急速な温度低下による白霧の発生を低減できる。
【００８８】
図１５は、本実施形態のオフガス排出通路６の第２の例を示す図である。図１５のように、上流側から下流側に向かって単位長さ当たりの連通口の形成個数、すなわち、連通口の個数密度を徐々に増加させてもよい。この構成によって、オフガスに対する外気の巻き込み量を徐々に増加できる。したがって、白霧の発生を効果的に抑制できる。
【００８９】
図１６は、本実施形態のオフガス排出通路６の第３の例を示す図である。図１５のように、上流側から下流側に向かって連通口の１個当たりの開口面積を徐々に増加させてもよい。この構成によって、オフガスに対する外気の巻き込み量を徐々に増加できる。したがって、白霧の発生を効果的に抑制できる。
【００９０】
図１７は、本実施形態のオフガス排出通路６の第４の例を示す図である。この例では、オフガス通路６には、図１４の場合と同様に、複数の連通口が形成されている。そして、オフガス通路６を取り囲む外管５０（本発明の閉塞手段に相当）が、排出口近傍を被覆している。この外管５０の内面は、オフガス通路６を構成する排気管の外壁にほぼ密着しているが、外管５０を摺動させて、排気管と相対移動することは可能である。
【００９１】
図１７のように、外管５０には、円筒面に三角形状の窓部５２が形成されている。また
、外管５０の外壁には、歯車とかみ合う一連の歯５１が外管５０の外周上に形成されている。そして、この一連の歯５１と、歯車４１が接触し、駆動モータ４０によって駆動可能に構成されている。
【００９２】
駆動モータ４０は、ＥＣＵ３０（本発明の閉塞制御手段に相当）の制御信号にしたがい、外管５０と、オフガス通路６との相対角度を変更できる。この構成により、ＥＣＵ３０（図１参照）は、駆動モータ４０を制御し、外管５０の窓部５２の位置を３６０度回転できる。
【００９３】
一方、オフガス通路６の連通口は、図１７のオフガス通路６の排気管円筒面上で、紙面表面側に形成され、裏面側に形成されていない。すなわち、オフガス通路６を構成する排気管の円筒面を排気管の中心軸から見たとき、中心角で所定の角度（例えば、０度から１８０度の範囲）の円筒面には連通口が形成され、円筒面上の他の部分（例えば、１８０度から３６０度の範囲）には、連通口が形成されていない。
【００９４】
上述のように、ＥＣＵ３０は、駆動モータ４０を制御し、外管５０の窓部５２の位置をオフガス通路６の円筒面上で回転摺動できる。そして、外管５０の窓部５２が、連通口が形成されていない位置にあるとき、外管５０は、すべての連通口を塞いだ状態となる。そして、ＥＣＵ３０が、駆動モータ４０を制御し、外管５０の窓部５２の位置を連通口が形成された面に移動すると、窓部５２の位置で連通口が開口する。
【００９５】
窓部５２は、三角形状をしているので、窓部５２の位置に応じて、複数の連通口のうち、所定の割合の数が開口されことになる。したがって、ＥＣＵ３０は、駆動モータ４０により、開口する連通口の数を制御できる。
【００９６】
なお、図１７では、図１４に示した連通口の配置を例示した。しかし、図１７に示した連通口は、図１４の配置に限定されるわけではない。すなわち、図１５、あるいは、図１６の構成に対して、外管５０を設け、連通口を開口または閉塞できるようにしてもよい。
【００９７】
図１８に、本実施形態におけるＥＣＵ３０の処理のフローチャートを示す。この処理で、Ｓ１−Ｓ３の処理については、第１実施形態から第３実施形態の場合と同様であるので、その説明を省略する。
【００９８】
本実施形態では、ＥＣＵ３０が、外気の状態、車両の運転状態、燃料電池運転状態、燃料電池システムの各部の温度等のデータから、白霧対策が必要であると判断した場合、ＥＣＵ３０は、駆動モータ４０を制御し、外管５０の窓部５２の位置にて連通口が開口状態となる位置に外管５０を摺動移動する（Ｓ４Ｃ）。
【００９９】
一方、白霧対策が必要でないと判断した場合、ＥＣＵ３０は、外管５０の窓部５２の位置にて連通口が塞がれた状態となる位置に外管５０を摺動移動する（Ｓ５Ｃ）。
【０１００】
このようにして、本実施形態では、外気の状態、車両の運転状態、燃料電池運転状態、燃料電池システムの各部の温度等のデータから白霧対策が必要と判断される場合にだけ、連通口が開口する。一方、白霧対策が必要ないと判断される場合には、連通口が外管５０に塞がれる。したがって、連通口からの外気の侵入を白霧対策に必要な場合に限定できる。
【０１０１】
なお、上記実施形態では、駆動モータ４０によって、外管５０を回転移動して、連通口を開口するか、閉塞するかを制御した。このような構成に代えて、オフガス通路６の長さ方向に外管５０を摺動するアクチュエータを使用してもよい。
【０１０２】
また、図１７では、窓部５２として三角形状のものを例示した。しかし、本発明の実施に置いて、窓部５２は、三角形状のものには、限定されない。例えば、長方形状の窓部で、連通口の開閉を制御してもよい。
【０１０３】
また、外管５０上に、多数の窓部を設けてもよい。例えば、オフガス通路６の連通口を閉塞する外管５０の位置に、同一個数の連通口を設けてもよい。この場合には、オフガス通路６の連通口と、外管５０の連通口とが重なり合うときに、オフガス通路６の連通口が開口することになる。また、オフガス通路６の連通口と、外管５０の連通口とが重ならない位置関係にあるときに、オフガス通路６の連通口が閉塞されることになる。
【図面の簡単な説明】
【０１０４】
【図１】本発明の第１実施形態に係る燃料電池システムの構成を示すシステム図である。
【図２】テールエンドでのオフガス温度と、飽和水蒸気圧との関係を示す図である。
【図３】インタークーラ冷却熱量と、白霧発生レベルとの関係を実験で観察した結果のグラフを示す図である。
【図４】本発明の第１実施形態に係る燃料電池システムにおける処理のフローチャートである。
【図５】白霧対策要否判断の処理例１を示すフローチャートである。
【図６】白霧対策要否判断の処理例２を示すフローチャートである。
【図７】変形例に係る燃料電池システムのシステム図である。
【図８】本発明の第２実施形態に係る空気極側のオフガス通路の詳細を示す構成図である。
【図９】三方弁制御処理のフローチャートである。
【図１０】本発明の第３実施形態に係る燃料電池システムのオフガス通路の構成図である。
【図１１】ミストトラッパの平面図である。
【図１２】ミストトラッパの形状を示す図である。
【図１３】本発明の第３実施形態に係る燃料電池システムにおける処理のフローチャートである。
【図１４】本発明の第４実施形態に係るオフガス通路を示す図である。
【図１５】オフガス排出通路の第２の例を示す図である。
【図１６】オフガス排出通路の第３の例を示す図である。
【図１７】オフガス排出通路の第４の例を示す図である。
【図１８】本発明の第４実施形態に係る燃料電池システムにおける処理のフローチャートである。
【符号の説明】
【０１０５】
１  ＦＣスタック
６、６Ａ、６Ｂ  オフガス通路
９  エアコンプレッサ
１１  エアフィルタ
２１  マフラ
２２  インタークーラ
２３  温度センサ
２４  配管
２５  ラジエータ
２６  ファン
２８  冷媒駆動モータ
３０  ＥＣＵ
３１  三方弁
３２  ミストトラッパ
３３、４０  駆動モータ
４１  歯車
５０  外管
５１  歯
５１  窓部
【図１】
2008270040.tif 000003
【図２】
2008270040.tif 000004
【図３】
2008270040.tif 000005
【図４】
2008270040.tif 000006
【図５】
2008270040.tif 000007
【図６】
2008270040.tif 000008
【図７】
2008270040.tif 000009
【図８】
2008270040.tif 000010
【図９】
2008270040.tif 000011
【図１０】
2008270040.tif 000012
【図１１】
2008270040.tif 000013
【図１２】
2008270040.tif 000014
【図１３】
2008270040.tif 000015
【図１４】
2008270040.tif 000016
【図１５】
2008270040.tif 000017
【図１６】
2008270040.tif 000018
【図１７】
2008270040.tif 000019
【図１８】
2008270040.tif 000020